(57)【特許請求の範囲】
【請求項１】
内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものにおいて、
各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突部を、また、タンブラーＢの内側縁部には支軸を中心とする円弧上にタンブラーＡの係合突部と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突部と整合するように設定し、他方、支軸を外方に付勢する一方、内筒の内端部に、内筒の半径方向に移動可能で、外部から操作可能なスイッチ部材を支軸の外側からこれに当接可能に設けたことを特徴とする可変レバータンブラー錠。
【発明の詳細な説明】
【０００１】
【発明の属する技術分野】
この発明は、可変レバータンブラー錠に係り、特に、簡単な操作で容易に鍵違いを変更できる新規な可変レバータンブラー錠に関する。
【０００２】
【従来の技術】
レバータンブラー錠は、図１及び図２に示すように、内周面の母線に沿ってカム溝１を形成した外筒２と、この外筒に回転自在に嵌合し、間隙を介して中心軸線方向に積層された複数の仕切板３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【０００３】
また、仕切板の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【０００４】
そして、これらのタンブラー群の夫々が鍵孔に挿通された合鍵の対応する鍵溝と係合したとき、各レバータンブラー１１の解錠切欠９がロッキングバー６の内側縁と整合する（図示せず）ように構成されている。
【０００５】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればレバータンブラー錠は解錠状態となって内筒５は解錠方向に回動する。
【０００６】
なお、図１及び図２において、符号１２はレバータンブラー１１、１１の一端を共通に貫通してこれらを回動自在に支承する支軸を示す。
【０００７】
【発明が解決しようとする課題】
上記した構成のレバータンブラー錠は、作動の確実性及び使用感が優れていることから、住戸の錠前の主流になりつつある。
【０００８】
一方、他の型式の錠前、例えばピンタンブラー錠やディスクタンブラー錠においても同様であるが、タンブラーの形状及びこれに対応する合鍵の鍵溝の深さが機械的に定まるので、錠前の鍵違いを変えることができない、という恨みが残る。
【０００９】
そのため、例えばマンションやアパートの住人が変ったとき、前の住人が合鍵のスペアキーを作った場合、錠前の防犯性が損われることは明らかである。
【００１０】
しかしながら、貸室の住人が変った場合、或いは合鍵を紛失した場合に、その都度錠前を交換することは面倒かつ費用が掛かるので、実際には行われていないことは良く知られているとおりである。
【００１１】
そこで、この発明は、例えば貸室の住人が変った場合、簡単な操作で鍵違いを変更できる新規な可変レバータンブラー錠を提供することを目的としている。
【００１２】
【課題を解決するための手段】
上記の目的を達成するため、この発明は、内周面の母線に沿ってカム溝を形成した外筒と、この外筒に回転自在に嵌合し、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒内に、夫々全体の形状が略Ｃ字形で一端部を支軸に揺動自在に軸支され、鍵孔に挿入された合鍵の側端縁と干渉する方向に付勢されると共に、常態では内筒を軸線方向に貫通するバックアップピンに係止され、かつ自由端部外側端縁にロッキングバーの内側縁を受入れる解錠切欠を形成したレバータンブラーの複数を鍵孔に沿って列設し、これらのタンブラー群の夫々が鍵孔に挿通された合鍵の対応する鍵溝と係合したとき、各レバータンブラーの解錠切欠がロッキングバーの内側縁と整合するようにしたものにおいて、
各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突部を、また、タンブラーＢの内側縁部には支軸を中心とする円弧上にタンブラーＡの係合突部と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突部と整合するように設定し、他方、支軸を外方に付勢する一方、内筒の内端部に、内筒の半径方向に移動可能で、外部から操作可能なスイッチ部材を支軸の外側からこれに当接可能に設けたことを特徴とする。
【００１３】
【実施例】
以下、この発明の一実施例を図３乃至図１２を参照して説明する。
この発明における特徴的な構成は、レバータンブラー１１の夫々が単一の部材ではなく、図３に示すように、タンブラーＡ１１Ａと、タンブラーＢ１１Ｂの２部材に分割されていることである。
【００１４】
これらタンブラーＡ１１ＡとタンブラーＢ１１Ｂとは、夫々全体の形状が略Ｃ字形の板状体で、相互に重合した状態で、一端（図３で上端）を支軸１２により回動自在に軸支されている。
【００１５】
一方、図４に示すように、支軸１２の両端には偏芯軸１３、１３（図４では内端の偏芯軸の図示を省略する）が夫々突設されており、支軸１２は、図５に示すように、これらの偏芯軸１３、１３をキーガイド１４及びテールガイド１５に夫々回動可能に支承させている。
【００１６】
上記偏芯軸１３及び支軸１２は偏芯しているから、換言すれば支軸１２と図３に示す偏芯軸１３の中心軸ｃとは同軸ではないから、図３で支軸１２の断面の上端を矢印方向に押動すると、支軸１２は偏芯軸の中心軸ｃの回りを回動することになる。
【００１７】
すなわち、図３に示す支軸１２の断面は、偏芯軸の中心軸ｃを回動軸線とするごく短いレバーとなる。
【００１８】
なお、図３では偏芯軸１３の断面形状が完全な円形ではなく、一部を支軸１２の外周面で削られた形状になっているが、これは設計上支軸１２の中心軸と偏芯軸の中心軸ｃとの距離を大きくしたためで、この発明の必須の構成要件ではない。
【００１９】
また、偏芯軸の中心軸ｃが偏芯軸１３の外周面を見込む角度が１８０度以上であれば、偏芯軸１３が一部削られた形状でも円滑に支軸を支承することができる。
【００２０】
一方、タンブラーＡの鍵孔４に対向する側端縁の中央部には、図３に示すように、図示しない合鍵の鍵溝と係合する係合部１６を形成すると共に、タンブラーばね１７（図６参照）の弾力により、合鍵と干渉する方向に付勢されている。
【００２１】
なお、上記タンブラーばね１７のタンブラーＡに対する装着の態様等は、従来のレバータンブラー錠と同様であるから、更に詳細な説明は省略する。
【００２２】
他方、タンブラーＢ１１Ｂの自由端部外側端縁には、前記解錠切欠９を形成すると共に、タンブラーＡの係合部１６と重合する部分は合鍵と干渉しないように成形されている。要するに、切り欠かれている。
【００２３】
タンブラーＡ１１Ａの説明に戻って、その自由端の内側縁部のタンブラーＢ１１Ｂに対向する面に細いピン状の係合突部１８（図３参照）が一体に形成されている。
【００２４】
これに対応して、タンブラーＢ１１Ｂの自由端の内側縁部には、図３に示すように、合鍵の鍵溝の深さの種類に対応して、支軸１２を中心とする円弧上に例えば４個の係合凹部１９、１９が形成されている。
【００２５】
図示の実施例では、この係合凹部１９は上記係合突部１８と係合するＵ字形の切欠として形成されている。
【００２６】
各係合凹部１９の支軸１２に対する角度位置は、合鍵の側端縁に形成された複数種類（図示の実施例では４種類）の深さの鍵溝に、タンブラーＡ１１Ａの係合部１６が夫々係合したときの係合突部１９と整合するように設定されている。
【００２７】
例えば、図３で一番左の係合凹部１９、すなわちタンブラーＡ１１Ａの係合突部１８と嵌合している係合凹部は、解錠切欠９の形成角度位置との関連で、合鍵の鍵溝の一の深さに対応しており、その一の深さの鍵溝とタンブラーＡ１１Ａの係合部１６が係合したとき、解錠切欠９とロッキングバー６の内側縁と整合するようにその角度位置が定められている。
【００２８】
同様にして、タンブラーＢ１１Ｂの他の係合凹部１９の角度位置は、合鍵の鍵溝の他の深さに対応している。
【００２９】
したがって、タンブラーＡ及びＢ１１Ａ、１１Ｂが図３に示すような位置関係にあり、係合突部１８が係合凹部１９、１９の一つと係合したとき、両者は一体的に連結して、合鍵の鍵溝の一の深さに対応したレバータンブラーとして機能する。
【００３０】
支軸１２の説明に戻って、支軸１２は、図５及び図７に示すように、例えば捩りコイルばねとしての支軸ばね２１の弾力により、外方（図７で上方）に付勢されており、その結果、偏芯軸１３回りの回転モーメントを与えられている。
【００３１】
また、支軸１２に支軸ばね２１以外の外力が作用しない常態角度位置を規定するため、図７に示すように、テールプラグ１５の外面側に傾斜衝止面２２が形成されていて、常態では支軸１２がこの傾斜衝止面２２に弾接して、支軸１２の偏芯軸１３に対する角度位置を規定している。
【００３２】
図示の実施例におけるこの角度位置は、偏芯軸１３に対して、時計盤面に換算して１０時半の角度位置となっている。
【００３３】
一方、図４及び図５に示すように、外筒２の内端面に形成された矩形の凹陥部２３と裏板２４とによって画成された空間内には、背面側に傾斜面２５を形成したブロック状のスイッチ部材２６が、外筒の半径方向に移動可能に案内されて収納されている。
【００３４】
このスイッチ部材２６の内端（図４及び図５における下端）は、支軸１２の内端部に嵌着されたスペーサーリング２７の外周面に当接している。
【００３５】
なお、図３において、符号２８はタンブラーＡ１１Ａの一端に開口した例えば勾玉（まがたま）形の支軸孔を、符号２９はタンブラーＡ１１Ａの自由端部外側縁に形成された逃げ切欠を示す。
【００３６】
上記逃げ切欠は、図３から明らかなように、レバータンブラー錠の作動原理上、ロッキングバー６と干渉しないようにタンブラーＡ１１Ａに形成された切欠であるが、タンブラーＡ１１Ａの自由端部の幅を狭めても強度を確保できるようにその材質を適切に設定すれば必要の無い構成である。
【００３７】
上記のように構成されたこの発明の一実施例による可変タンブラー錠は、図６に示す施錠状態、或いは異鍵が挿入された状態では、ロッキングバー６と解錠切欠９とは角度的に整合していない。
【００３８】
このときに例えば異鍵を回して内筒を回動させようとすると、その内筒の外筒２に対する相対回動に起因する楔作用により、ロッキングバー６はカム溝１から脱出する方向、すなわち内筒中心軸方向に移動しようとするが、このロッキングバー６の動きはタンブラーＢ１１Ｂ、支軸１２を介して、テールプラグ１５（通常はキーガイド１４にも形成されている）の傾斜衝止面２２（図７参照）に衝止され、そのため内筒を回動させることはできない。
【００３９】
一方、鍵孔に合鍵２９が挿入された場合には、例えば図８に示すように、タンブラーＢ１１Ｂの解錠切欠９とロッキングバー６の内側縁が角度的に整合するので、通常のレバータンブラー錠と同様にして内筒が回動可能になる。すなわち、この可変タンブラー錠は解錠される。
【００４０】
この発明による可変タンブラー錠の鍵違いを変更するには、図８に示すように、先ず鍵孔内にそれ迄の合鍵を挿入する。
【００４１】
すると、各タンブラー１１の係合部１６に合鍵の鍵溝が係合し、その結果全タンブラー１１、１１の解錠切欠９、９がロッキングバー６の内側縁と整合する。
【００４２】
このとき、それ迄の合鍵２９を引抜かずに、図９及び図１０に示すように、例えば先端を円錐形に成形した変換ピン３１を裏板２４のピン穴３２（図５参照）から内部に挿入する。
【００４３】
すると、スイッチ部材２６の傾斜面２５と変換ピン３１の先端との間に生じる楔作用により、スイッチ部材２６は内筒中心軸線方向に移動する。
【００４４】
このスイッチ部材２６の移動は、スペーサーリング２７を介して支軸１２に伝達され、その結果、図９及び図１０に示すように、支軸１２は偏芯軸１３の中心軸の回りを例えば時計方向に回動し、この支軸１２に従動してタンブラーＢ１１Ｂが外方に移動する。
【００４５】
このとき、図１１に示すように、タンブラーＡ１１Ａはタンブラーばね１７（図６参照）の弾力により原位置を保ち、支軸１２はタンブラーＡ１１Ａの一端に開口した支軸孔２８中を遊動する。
【００４６】
すなわち、タンブラーＢ１１ＢはタンブラーＡ１１Ａとは独立して図１０で相対的に下方に移動し、この移動に伴ってタンブラーＡ１１Ａの係合突部１８がそれ迄係合していた係合凹部１９から離脱する。
【００４７】
このときには前記したようにタンブラーＢ１１Ｂの解錠切欠９はロッキングバー６の内側縁と角度的に整合しているから、各タンブラーＢ１１Ｂはその解錠切欠９とロッキングバー６の内側縁との係合の度合いを増大させつつ、ロッキングバー６と干渉することなく外方に移動できる。
【００４８】
次いで、図１２にしめすように、変換ピン３１を外筒に挿入した侭の状態で合鍵３０を抜くと、タンブラーＢ１１Ｂはロッキングバー６に係止された状態で、タンブラーＡ１１Ａのみがタンブラーばねの弾力によって反時計方向に回動し、やがてバックアップピン８に係止される。
【００４９】
次に、変換ピン３１を外筒に挿入した侭の状態で、先程抜いた合鍵３０とは異なる新たな合鍵３００を鍵孔に挿入する。
【００５０】
すると、図１３に示すように、各タンブラーＢ１１Ｂの係合部１６（図３参照）は、新しい合鍵３００の対応する鍵溝と係合して、その係合突部１８は新たな係合凹部１９に係合可能に臨むことになる。
【００５１】
図示の実施例では、それ迄一番左の係合凹部１９と係合していた（図８参照）係合突部１８は、図１３に示すように左から二番めの係合凹部１９に係合可能に臨むことになる。
【００５２】
この状態で変換ピン３１を外筒のピン穴から抜くと、図１４に示すように、前記支軸ばね２１（図７参照）の弾力により支軸１２は上方に移動し、これに従動して、全タンブラーＢ１１Ｂが上方に移動して、全係合突部１８が新しい合鍵３００に対応する新しい係合凹部１９と係合する。
【００５３】
以後、今までの合鍵３０は使用不可能になり、このレバータンブラー錠は新しい合鍵３００によってのみ施解錠操作が可能となる。すなわち、鍵違いが変更されたことになる。
【００５４】
上記の操作を繰り返せば、新しい合鍵を用意できる限り、何回でも鍵違いを変更できることになる。
【００５５】
なお、図示の実施例では、スイッチ部材２６を変換ピンで上下に移動させるようにしたが、これは、例えば直接スイッチ部材を手指で駆動するように構成することができ、また、他の駆動部材の構成も複数種類考えることができる。
【００５６】
【発明の効果】
以上の説明から明らかなように、この発明は、レバータンブラーをタンブラーＡとタンブラーＢとに分割し、タンブラーＡには係合突部を、タンブラーＢには鍵溝の深さに対応する複数の係合凹部を夫々形成し、タンブラーＢを偏芯した支軸の回動を利用して半径方向に動かし、鍵孔に挿入された新しい合鍵の鍵溝の深さに対応して係合凹部と係合突部との係合の態様を変化させ、もって支軸に対する解錠切欠の角度位置を変化させるようにしたので、簡単な操作で鍵違いを何回でも変更できる、という所期の効果を奏する。
【図面の簡単な説明】
【図１】従来のレバータンブラー錠の一例を示す縦断面図。
【図２】その横断面図。
【図３】この発明の一実施例によるレバータンブラー錠のタンブラーの構成を説明するための拡大正面図で、タンブラーＡ、Ｂが相互に連結された状態を示す。
【図４】スイッチ部材による支軸の駆動機構を示す拡大外観斜視図で、常態を示す。
【図５】この発明の一実施例によるレバータンブラー錠の拡大縦断面図。
【図６】外側から見たその拡大横断面図で。
【図７】外側から見たテールプラグの拡大正面図。
【図８】この発明によるレバータンブラー錠の鍵違いの変換を説明するための横断面図で、一の合鍵に対応する一の鍵違いを示す。
【図９】この発明によるレバータンブラー錠の鍵違いの変換を説明するための横断面図で、一の合鍵を鍵孔に挿入した侭スイッチ部材を駆動してタンブラーＡ、Ｂを分離した状態を示す。
【図１０】図４と同様のスイッチ部材による支軸の駆動機構を示す拡大外観斜視図で、変換ピンによりスイッチ部材を駆動した状態を示す。
【図１１】図３と同様のタンブラーの構成を説明するための拡大正面図で、タンブラーＡ、Ｂが鍵違い変換のため分離された状態を示す。
【図１２】この発明によるレバータンブラー錠の鍵違いの変換を説明するための横断面図で、スイッチ部材を駆動してタンブラーＡ、Ｂを分離した後一の合鍵を鍵孔から抜いた状態を示す。
【図１３】この発明によるレバータンブラー錠の鍵違いの変換を説明するための横断面図で、スイッチ部材を駆動してタンブラーＡ、Ｂを分離した後一の合鍵を鍵孔から抜き、他の合鍵を鍵孔に挿入した状態を示す。
【図１４】この発明によるレバータンブラー錠の鍵違いの変換を説明するための横断面図で、他の合鍵を鍵孔に挿入した後スイッチ部材を元に戻して新しい鍵違いを固定した状態を示す。
【符号の説明】
１  カム溝
２  外筒
４  鍵孔
５  内筒
６  ロッキングバー
８  バックアップピン
９  解錠切欠
１１  レバータンブラー
１１Ａ  タンブラーＡ
１１Ｂ  タンブラーＢ
１２  支軸
１３  偏芯軸
１４  キーガイド
１５  テールプラグ
１６  係合部
１７  タンブラーばね
１８  係合突部
１９  係合凹部
２１  支軸ばね
２２  傾斜衝止面
２５  傾斜面
２６  スイッチ部材
３０  合鍵
３１  変換ピン
【図１】
0004044757.tif 000002
【図２】
0004044757.tif 000003
【図３】
0004044757.tif 000004
【図４】
0004044757.tif 000005
【図５】
0004044757.tif 000006
【図６】
0004044757.tif 000007
【図７】
0004044757.tif 000008
【図８】
0004044757.tif 000009
【図９】
0004044757.tif 000010
【図１０】
0004044757.tif 000011
【図１１】
0004044757.tif 000012
【図１２】
0004044757.tif 000013
【図１３】
0004044757.tif 000014
【図１４】
0004044757.tif 000015